(57)【要約】【課題】  リンク結合構造のアクチュエータ１４を極めて効率的に製造するとともに、リンク結合の保持力を容易に強化することを可能とする。【解決手段】  第１および第２のアクチュエータ１４１，１４２をリンク結合させた状態にてアクチュエータ１４を形成することによって、アクチュエータ１４を形成した時点で第１および第２のアクチュエータ１４１，１４２どうしを既にリンク結合された状態として、第１および第２のアクチュエータどうしをリンク結合する工程を省略するとともに、リンク結合部位に従来のような切欠部をなくして第１および第２のアクチュエータ１４１，１４２どうしの離脱・破損のおそれを防止したもの。【選択図】      図２
2007027031.tif 000002
【特許請求の範囲】
【請求項１】
複数の導電端子を収容する絶縁ハウジング内に差し込まれたフレキシブル配線基板が前記導電端子に押圧されることにより接続されるものであって、
前記絶縁ハウジング内にフレキシブル配線基板を差し込み可能とする解除位置と、前記絶縁ハウジング内に差し込まれたフレキシブル配線基板の押圧を行う作用位置との間で往復移動するようにリンク結合された第１および第２のアクチュエータを備えたＦＰＣ用電気コネクタにおいて、
前記第１および第２のアクチュエータは、当該両アクチュエータどうしがリンク結合された状態にて形成されていることを特徴とするＦＰＣ用電気コネクタ。
【請求項２】
前記第１および第２のアクチュエータが、回動自在にリンク結合されていることを特徴とする請求項１記載のＦＰＣ用電気コネクタ。
【請求項３】
複数の導電端子を収容する絶縁ハウジング内に、リンク結合された第１および第２のアクチュエータからなるアクチュエータを解除位置に移動した状態でフレキシブル配線基板を差し込み、その後前記アクチュエータを作用位置に移動することによって前記フレキシブル配線基板を前記導電端子に押圧して接続するようにしたＦＰＣ用電気コネクタの製造方法において、
前記アクチュエータの第１のアクチュエータおよび第２のアクチュエータのいずれか一方を予め形成しておく一次成形工程と、
その一次成形工程により成形した一方のアクチュエータに対して、他方のアクチュエータをリンク結合された状態に当該他方のアクチュエータを形成する二次成形工程と、
を含むことを特徴とするＦＰＣ用電気コネクタの製造方法。
【請求項４】
前記一次成形工程において、リンク結合用の軸穴を有する第１のアクチュエータを予め形成しておき、
前記二次成形工程において前記一次成形工程により成形した前記第１のアクチュエータの軸穴に対して、前記第２のアクチュエータの支持軸をリンク結合した状態に形成することを特徴とする請求項３に記載のＦＰＣ用電気コネクタの製造方法。
【請求項５】
前記一次成形工程および二次成形工程を二色成形により実行するようにしたことを特徴とする請求項３または請求項４に記載のＦＰＣ用電気コネクタの製造方法。
【発明の詳細な説明】
【技術分野】
【０００１】
本発明は、フレキシブル配線基板（ＦＰＣ）を電気的に接続する電気コネクタに関し、特にアクチュエータの移動によりＦＰＣの装着および接続を容易にするようにしたＦＰＣ用電気コネクタおよびその製造方法に関する。
【背景技術】
【０００２】
フレキシブル配線基板が接続されるＦＰＣ用電気コネクタは、多種多様な電気機器において広く採用されている（下記の特許文献２参照）。例えば図１０、図１１および図１２に示されているＦＰＣ用電気コネクタ１では、幅方向に細長状の中空部材から形成された絶縁ハウジング２の内部に複数の導電端子３ａ、３ｂが適宜のピッチで列状をなすように収容されており、前記絶縁ハウジング２の内部に、フレキシブル配線基板（ＦＰＣ；図１３中の符号５参照）の端末部分が差し込まれた後に、そのフレキシブル配線基板に設けられた導電路が前記導電端子３ａ、３ｂに押圧されることによりフレキシブル配線基板の接続が行われるようになっている。
【０００３】
これら図１０ないし図１２に示されているＦＰＣ用電気コネクタ１は、いわゆる回動リンク型のＺＩＦ構造をなすものであって、上述したフレキシブル配線基板の接合する際にアクチュエータ４を開閉操作するようにしている。アクチュエータ４は、前記絶縁ハウジング２に対して開閉移動可能に取り付けられた第１のアクチュエータ４ａと、その第１のアクチュエータ４ａに対して回動可能にリンク接合された第２のアクチュエータ４ｂとから構成されており、第２のアクチュエータ４ｂに設けられた軸４ｃが、第１のアクチュエータ４ａに設けられた軸受４ｄに対して回動自在に枢着されている。
【０００４】
そして、フレキシブル配線基板の接合を行うにあたっては、まず第１のアクチュエータ４ａを立ち上げる図示右回りの方向に回動して開放状態とすると、それに伴って第２のアクチュエータ４ｂも立ち上がるように回動してアクチュエータ４の全体が図示のような解除状態となる。ついで、上述したフレキシブル配線基板を図示左方側から右方側に向かって絶縁ハウジング２内に差し込み、そのフレキシブル配線基板の差し込みが完了した時点で、第１のアクチュエータ４ａを図示左回りに回動操作して第１および第２のアクチュエータ４ａ，４ｂを略水平状態としてアクチュエータ４の全体を作用位置に移動する。そして、作用位置に回動したアクチュエータ４の一部によって前記フレキシブル配線基板の導電路（図示省略）が前記導電端子３ａ、３ｂに押圧されることとなり、それによってフレキシブル配線基板が接続状態となる。
【０００５】
このように回動リンク型のＺＩＦ構造を有するＦＰＣ用電気コネクタ１は、第１アクチュエータ４ａに設けられた軸受４ｄに対して第２アクチュエータ４ｂの軸４ｃが枢着部を構成するようにしてリンク結合されているものであるが、これら第１および第２のアクチュエータ４ａ，４ｂをリンク結合するにあたっては、前記軸受４ｄの一部に形成された切欠部４ｅを通して、前記軸４ｃを軸受４ｄ内に容易に装着することができる構成になされている。すなわち、従来のＦＰＣ用電気コネクタにおけるアクチュエータ４においては、回動リンク結合される第１および第２アクチュエータ４ａ，４ｂの組み立てを可能とするために、上述したような切欠部４ｅを第１および第２のアクチュエータ４ａ，４ｂのいずれかに形成するようにしている。
【０００６】
ところが、第１および第２のアクチュエータ４ａ，４ｂどうしをリンク結合する部位に切欠部４ｅが設けられていると、例えば第１アクチュエータ４ａを全開状態に回動操作した場合などに、わずかな力により切欠部４ｅを通して軸４ｃが軸受４ｄから離脱してしまい、リンク結合が外れて第２のアクチュエータ４ｂが作動せず、前記導電端子３ａ、３ｂとフレキシブル配線基板との接続を解除することが出来ないばかりか、その後の電気コネクタとして機能出来なくなる動作不良もしくは不適切なアクチュエータ４ａ、４ｂの作動により破損状態となってしまうおそれがある。さらに、第１および第２のアクチュエータ４ａ，４ｂをそれぞれ別個に形成した後に両者をリンク結合する分だけ多くの工程を要している。
【０００７】
【特許文献１】特許公開第２００４−２６５６７３号公報
【特許文献２】特許出願第２００４−３６１５５５号
【発明の開示】
【発明が解決しようとする課題】
【０００８】
そこで本発明は、リンク結合された第１および第２のアクチュエータを有するアクチュエータを効率的に製造することができるとともに、第１および第２のアクチュエータのリンク結合の保持力を容易に強化することができるようにしたＦＰＣ用電気コネクタおよびその製造方法を提供することを目的とする。
【課題を解決するための手段】
【０００９】
上記目的を達成するため本発明にかかるＦＰＣ用電気コネクタでは、複数の導電端子を収容する絶縁ハウジング内に差し込まれたフレキシブル配線基板が前記導電端子に押圧されることにより接続されるものであって、前記絶縁ハウジング内にフレキシブル配線基板を差し込み可能とする解除位置と、前記絶縁ハウジング内に差し込まれたフレキシブル配線基板の押圧を行う作用位置との間で往復移動するようにリンク結合された第１および第２のアクチュエータを備えたＦＰＣ用電気コネクタにおいて、前記第１および第２のアクチュエータは、当該両アクチュエータどうしがリンク結合された状態にて形成されている。
【００１０】
また、本発明にかかるＦＰＣ用電気コネクタの製造方法では、複数の導電端子を収容する絶縁ハウジング内に、リンク結合された第１および第２のアクチュエータからなるアクチュエータを解除位置に移動した状態でフレキシブル配線基板を差し込み、その後前記アクチュエータを作用位置に移動することによって前記フレキシブル配線基板を前記導電端子に押圧して接続するようにしたＦＰＣ用電気コネクタの製造方法において、前記アクチュエータの第１のアクチュエータおよび第２のアクチュエータのいずれか一方を予め形成しておく一次成形工程と、その一次成形工程により成形した一方のアクチュエータに対して、他方のアクチュエータをリンク結合された状態に当該他方のアクチュエータを形成する二次成形工程と、を含む。
【００１１】
このような構成を有するＦＰＣ用電気コネクタおよびその製造方法によれば、アクチュエータの形成が行われた時点で第１および第２のアクチュエータどうしが既にリンク結合された状態となっているため、従来のように第１および第２のアクチュエータどうしをリンク結合する工程が省略されるとともに、第１および第２のアクチュエータどうしのリンク結合の部位に従来のような切欠部が設けられないため従来のようにこれらの第１および第２のアクチュエータどうしが外れて破損状態となるおそれがほとんどなくなる。
【発明の効果】
【００１２】
以上述べたように本発明にかかるＦＰＣ用電気コネクタおよびその製造方法は、第１および第２のアクチュエータをリンク結合させた状態でアクチュエータを形成することによって、アクチュエータを形成した時点で第１および第２のアクチュエータどうしを既にリンク結合された状態とし、従来のような第１および第２のアクチュエータどうしをリンク結合する工程を省略する。また、第１および第２のアクチュエータどうしのリンク結合の部位における切欠部をなくして第１および第２のアクチュエータどうしの離脱・破損のおそれをなくするように構成したものであるから、リンク結合された第１および第２のアクチュエータを有するアクチュエータを極めて効率的に製造することができるとともに、リンク結合部の軸部を樹脂で覆う等によって第１および第２のアクチュエータのリンク結合の保持力を容易に強化することができ、ＦＰＣ用電気コネクタの品質および生産性を大幅に向上させることができる。
【００１３】
また、第１のアクチュエータを予め形成する一次成形を行うことにより、先にリンク結合部の軸穴部を形成し、その軸穴内に支持軸となる樹脂を注入して二次成形を行うと、樹脂の収縮にて軸穴と支持軸との間に隙間が発生し、支持軸の可動をスムーズに行うことができる。
【発明を実施するための最良の形態】
【００１４】
以下、本発明の実施形態を図面に基づいて詳細に説明する。
まず図１、図２および図３に示されている本発明の一実施形態にかかるＦＰＣ用電気コネクタ１０は、幅方向に沿って細長状に延在する中空状の絶縁ハウジング１１を備えているとともに、その絶縁ハウジング１１の内部には、２種類の形状を有する第１および第２の導電端子１２，１３を一組とした複数組が幅方向（長手方向）に沿って適宜のピッチで列状をなすように収容されている。
【００１５】
これらの第１および第２の導電端子１２，１３の各基部側（図２の右端部側および図３の左端部側）の底部（図２および図３の下端部）には半田接続部１２ａ，１３ａが設けられており、それらの両半田接続部１２ａ，１３ａが、図示を省略した回路基板上の半田付けランド部上に載置された状態で半田付けされるようになっている。このとき、図２に示された第１の導電端子１２は、前記半田接続部１２ａが設けられた基部側から前記絶縁ハウジング１１の内部底面上を幅方向と略直交する前方（図２の左方）に向かって片持ち状に延出するコンタクト部１２ｂを有している。このコンタクト部１２ｂの前端部分（図示左端部分）には、後述するフレキシブル配線基板（ＦＰＣ）の導電路に押圧される接点凸部１２ｃが形成されている。
【００１６】
また、当該第１の導電端子１２の基部側（図２の右端部側）の上部側（図２の上端部側）からは、前記絶縁ハウジング１１の上壁面に沿って保持作用バネ部１２ｄが前方側（図２の左方側）に向かって片持ち状に延出している。この保持作用バネ部１２ｄの前端部分（図示左端部分）には、上述した接点凸部１２ｃに対して対向する略半円弧状凹部の嵌合支持部１２ｅが形成されている。
【００１７】
さらに、図３に示された第２の導電端子１３は、上述した一方の第１の導電端子１２に対して幅方向（長手方向）に交互に隣接するように配置されており、前記半田接続部１３ａが設けられた基部側から前記絶縁ハウジング１１の内部底面上を後方（図３の右方）に向かって延出するコンタクト部１３ｂを有している。このコンタクト部１３ｂの延出方向（図３の左右方向）における略中央部分には、後述するフレキシブル配線基板（ＦＰＣ）の導電路に押圧される接点凸部１３ｃが形成されているとともに、その接点凸部１３ｃのやや後方側（図３の右方側）からは、湾曲状をなす保持作用バネ１３ｄが立ち上がるように形成されている。この保持作用バネ部１３ｄは、前記コンタクト部１３ｂの上辺から湾曲状に立ち上がった後、前方側（図３の左方側）に向かって片持ち状に延出するように形成されている。
【００１８】
ここで、本実施形態におけるＦＰＣ用電気コネクタ１０は、いわゆる回動リンク型ＺＩＦ構造のＦＰＣ用電気コネクタからなるものであって、上述した絶縁ハウジング１１には細長板状部材のリンク構造からなるアクチュエータ１４が開閉自在となるように取り付けられている。このアクチュエータ１４は、使用者または作業者によって回動操作される第１のアクチュエータ１４１と、その第１のアクチュエータ１４１に対してインサート成形にてリンク結合された第２のアクチュエータ１４２とを有しており、前記第１のアクチュエータ１４１が使用者または作業者により回動されると、それに伴って前記第２のアクチュエータ１４２が従動する構成になされている。そして、当該アクチュエータ１４を開放操作して解除状態とした上でフレキシブル配線基板（ＦＰＣ）１５がＦＰＣ用電気コネクタ１０の内部側に差し込まれるとともに、差し込み後にアクチュエータ１４が閉塞操作して作用状態とすることによってフレキシブル配線基板（ＦＰＣ）１５が押圧され、フレキシブル配線基板（ＦＰＣ）１５の導電路に第１、第２の導電端子１２，１３の各接点凸部１２ｃ，１３ｃが電気的に接続されるようになっている。
【００１９】
上述した第１のアクチュエータ１４１は、幅方向（長手方向）に沿って細長状に延在する板状部材から形成されており、その第１のアクチュエータ１４１における後端部分（図３の中央部分）には、当該後端部分の幅方向途中位置の複数箇所に、幅方向（長手方向）に沿って適宜の長さ延在する回動支持軸１４１ａが形成されている。この回動支持軸１４１ａは、前述した第２の導電端子１３の保持作用バネ１３ｄの配置ピッチに対応して幅方向に適宜の間隔をなして複数体設けられていて、それらの各回動支持軸１４１ａが、上述した第２の導電端子１３の保持作用バネ１３ｄの湾曲状内周辺部の途中部分に対して下方側から係合している。
【００２０】
これらの各回動支持軸１４１ａの横断面形状は、特に図３に示されているような略楕円状をなすように形成されており、その略楕円状をなす各回動支持軸１４１ａが、前記保持作用バネ１３ｄに対して前後方向に滑動したスライド移動位置と、回動したときの姿勢によって前記保持作用バネ１３ｄから受ける付勢力が変化するように構成されている。すなわち、前記第１のアクチュエータ１４１が図３に示すように閉塞された場合には、前記第１のアクチュエータ１４１の各回動支持軸１４１ａの略楕円形状が縦長に立った状態となり、前記導電端子１３の保持作用バネ１３ｄから前記第１のアクチュエータ１４１の各回動支持軸１４１ａに対して図示下方側への付勢力が与えられてフレキシブル配線基板(ＦＰＣ）を押圧することとなる。
【００２１】
これに対して、前記第１のアクチュエータ１４１が図６に示すように開放された場合には、前記第１のアクチュエータ１４１の各回動支持軸１４１ａの略楕円形状部が斜めに寝た状態となるために、前記導電端子１３の保持作用バネ１３ｄによる付勢力を前記第１のアクチュエータ１４１の各回動支持軸１４１ａは受けなくなる構成になされている。
【００２２】
このような第１のアクチュエータ１４１は、上述した各回動支持部１４１ａと前記導電端子１３の保持作用バネ１３ｄ、および前記第２のアクチュエータ１４２のリンク支持軸１４２ａで保持されており、前記第１のアクチュエータ１４１の各回動支持部１４１ａを中心に回動するとともに、フレキシブル配線基板（ＦＰＣ）の挿抜方向と同方向にスライド移動を行うことが可能となっている。
【００２３】
一方、上述した第２のアクチュエータ１４２は、前記第１のアクチュエータ１４１と幅方向にほぼ同一長さを有する板状部材から形成されており、その前端側部分（図２の左端側部分）には、幅方向途中位置の複数箇所に、前記第１のアクチュエータ１４１に対してリンク結合を行うためのリンク支持軸１４２ａが幅方向（長手方向）に沿って延在するように設けられている。これらの各リンク支持軸１４２ａは、幅方向に所定の間隔をなして複数体設けられており、それらの各リンク支持軸１４２ａが、当該各リンク支持軸１４２ａに対応して前記第１のアクチュエータ１４１に設けられたリンク軸穴１４１ｂ内に回動自在に枢着されている。
【００２４】
また、前記第２のアクチュエータ１４２の後端側部分（図２の中央部分）には、幅方向（長手方向）途中位置の複数箇所に、同じく幅方向（長手方向）に沿って延在する回動支持軸１４２ｂが、前記第１の導電端子１２の保持作用バネ１２ｄの配置ピッチに対応して幅方向に適宜の間隔をなして複数体設けられている。それらの各回動支持軸１４２ｂは、上述した第１の導電端子１２の保持作用バネ１２ｄに設けられた嵌合支持部１２ｅの湾曲状内周辺部に対して下方側から係合している。
【００２５】
このとき、特に図２に示されているように、前記各回動支持軸１４２ｂの横断面形状は略楕円状をなしており、その略楕円状をなす各回動支持軸１４２ｂの回動位置、つまり前記嵌合支持部１２ｅに対する姿勢によって前記保持作用バネ部１２ｄから受ける回動付勢力の方向が反転することとなり、それによって前記第２のアクチュエータ１４２が閉塞した場合には、図２に示すように前記第２のアクチュエータ１４２の各回動支持軸１４２ｂの略楕円形状が立った状態となり、前記導電端子１２の保持作用バネ部１２ｄの嵌合支持部１２ｅにより前記第２のアクチュエータ１４２の各回動支持軸１４２ｂに付勢力が与えられて、結果的に第２のアクチュエータ１４２のフレキシブル配線基板（ＦＰＣ）との当接面がフレキシブル配線基板(ＦＰＣ）を押圧し、前記第２のアクチュエータ１４２を開放した場合には、図５に示すように前記第２のアクチュエータ１４２の各回動支持軸１４２ｂの略楕円形状が斜めに寝た状態となるために、前記導電端子１２の保持作用バネ部１２ｄの嵌合支持部１２ｅによる付勢力を前記第２のアクチュエータ１４２の各回動支持軸１４２ｂが受けなくなるように構成されている。
【００２６】
また、前記第２のアクチュエータ１４２の幅方向の外方に向かって適宜の長さ突出する回動支持軸１４２ｂは、前記絶縁ハウジング１１の長手方向両端部分の支持壁板１１ａ，１１ａに凹設された軸受部（図示省略）内に回動可能に遊嵌されており、それによって当該第２のアクチュエータ１４２の回動支持軸１４２ｂを中心とした確実な回動操作を行っているが、回動支持軸１４２ｂは、第１の導電端子１２の嵌合支持部１２ｅ等にて保持されているために、前記外方の軸受部は必ずしも必要とはしていない。また、アクチュエータ１４１、１４２の閉塞時に、前記ハウジング１１の支持壁板１１ａ、１１ａの上面（図１の上面）に、アクチュエータ１４１もしくはアクチュエータ１４２を当接させて、アクチュエータの回動停止位置とすることも可能である。
【００２７】
ここで、前記第１および第２のアクチュエータ１４１，１４２は、これら両アクチュエータ１４１，１４２がリンク結合された状態、つまり、前述したように第２のアクチュエータ１４２のリンク支持軸１４２ａが第１のアクチュエータ１４１の軸穴１４１ｂ内に回動自在に枢着された状態で形成されている。
【００２８】
このように第１および第２のアクチュエータ１４１，１４２どうしをリンク結合した状態にて形成するにあたっては、まず前記第１アクチュエータ１４１または第２アクチュエータ１４２のいずれか一方を一次成形工程により予め形成しておき、その一次成形工程により形成された第１アクチュエータ１４１または第２アクチュエータ１４２のいずれか一方を、これら第１アクチュエータ１４１または第２アクチュエータ１４２のいずれか他方を成形するための型内にセットしておき、その状態で二次成形工程、いわゆるインサート成形を実行する。なお、第１のアクチュエータを予め形成する一次成形を行うことにより、先にリンク結合部のリンク軸穴１４１ｂが形成され、その部分に、第２のアクチュエータ１４２のリンク支持軸１４２ａに相当する樹脂を注入して二次成形を行うと、樹脂の収縮にて、一次成形のリンク軸穴１４１ｂと二次成形のリンク支持軸１４２ａとの間に隙間が発生し、そのリンク支持軸１４２ａの可動をスムーズに行うことができるために、前記第１のアクチュエータを一次成形したほうがより有効な手段となる。また、このときの二次成形工程としては、いわゆる二色成形を採用することができる。
【００２９】
このような構成を有する本実施形態によれば、アクチュエータ１４が形成された時点で第１および第２のアクチュエータ１４１，１４２どうしが既にリンク結合された状態となっているため、従来のように第１および第２のアクチュエータどうしをリンク結合する工程が省略される。また、第１および第２のアクチュエータどうしのリンク結合の部位に従来のような切欠部が設けられていないため、第１および第２のアクチュエータ１４１，１４２どうしが外れて動作不良もしくは破損状態となるおそれがほとんどなくなる。
【００３０】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００３１】
例えば、上述した実施形態は、アクチュエータが回動する型式のＦＰＣ用電気コネクタに本発明を適用したものであるが、本発明はそれに限定されることはなく、解除位置と作用位置との間で直動するアクチュエータ（スライダー）を備えたＦＰＣ用電気コネクタに対しても本発明は同様に適用することが可能である。
【産業上の利用可能性】
【００３２】
本発明は、各種電気機器に使用する多種多様なアクチュエータを備えたＦＰＣ用電気コネクタに対して広く適用することが可能である。
【図面の簡単な説明】
【００３３】
【図１】本発明の一実施形態にかかるＦＰＣ用電気コネクタに対してフレキシブル配線基板（ＦＰＣ）を差し込んだ後アクチュエータを作用位置に回動した状態を表した外観斜視説明図である。
【図２】図１に示されたＦＰＣ用電気コネクタにおける幅方向の特定部位の横断面説明図である。
【図３】図１に示されたＦＰＣ用電気コネクタにおける幅方向の他の部位の横断面説明図である。
【図４】本発明の一実施形態にかかるＦＰＣ用電気コネクタのアクチュエータを開放方向に回動した外観斜視説明図である。
【図５】図４に示されたＦＰＣ用電気コネクタにおける幅方向の特定部位の横断面説明図である。
【図６】図４に示されたＦＰＣ用電気コネクタにおける幅方向の他の部位の横断面説明図である。
【図７】本発明の一実施形態にかかるＦＰＣ用電気コネクタに対してフレキシブル配線基板（ＦＰＣ）を差し込んでアクチュエータを解除状態とした外観斜視説明図である。
【図８】図７に示されたＦＰＣ用電気コネクタにおける幅方向の特定部位の横断面説明図である。
【図９】図７に示されたＦＰＣ用電気コネクタにおける幅方向の他の部位の横断面説明図である。
【図１０】従来におけるＦＰＣ用電気コネクタのアクチュエータを解除状態まで回動した状態を表した外観斜視説明図である。
【図１１】図１０に示されたＦＰＣ用電気コネクタにおける幅方向の特定部位の横断面説明図である。
【図１２】図１０に示されたＦＰＣ用電気コネクタにおける幅方向の他の部位の横断面説明図である。
【図１３】従来におけるＦＰＣ用電気コネクタのアクチュエータが離脱した状態を表した横断面説明図である。
【符号の説明】
【００３４】
１０  ＦＰＣ用電気コネクタ
１１  絶縁ハウジング
１１ａ  支持壁板
１２  第１の導電端子
１２ａ  半田接続部
１２ｂ  コンタクト部
１２ｃ  接点凸部
１２ｄ  保持作用バネ部
１２ｅ  嵌合支持部
１３  第２の導電端子
１３ａ  半田接続部
１３ｂ  コンタクト部
１３ｃ  接点凸部
１３ｄ  保持作用バネ
１４  アクチュエータ
１４１  第１のアクチュエータ
１４１ａ  回動支持軸
１４１ｂ  リンク軸穴
１４２  第２のアクチュエータ
１４２ａ  リンク支持軸
１４２ｂ  回動支持軸
１５  フレキシブル配線基板（ＦＰＣ）
【図１】
2007027031.tif 000003
【図２】
2007027031.tif 000004
【図３】
2007027031.tif 000005
【図４】
2007027031.tif 000006
【図５】
2007027031.tif 000007
【図６】
2007027031.tif 000008
【図７】
2007027031.tif 000009
【図８】
2007027031.tif 000010
【図９】
2007027031.tif 000011
【図１０】
2007027031.tif 000012
【図１１】
2007027031.tif 000013
【図１２】
2007027031.tif 000014
【図１３】
2007027031.tif 000015